(57)【特許請求の範囲】
【請求項１】
上枠材と、下枠材と、左右の竪枠材と、釘打ち部材とを備え、上枠材及び各竪枠材は外周面の見込み方向略中央部に内周側に凹んで釘打ち部材が係脱可能な係合溝を有すると共に係合溝以外の外周面が平坦面であり、係合溝の一方の溝壁のみに他方の溝壁に向けて突出した係止突起が設けてあり、釘打ち部材には係止突起に嵌合する嵌合凹部が形成してあり、釘打ち部材は係合溝の係止突起に嵌合凹部を嵌合してあると共に係合溝内に収納されるねじで係合溝の溝底に固定してあり且つ釘で躯体の見付け面に取り付けて、上枠材及び各竪枠材を躯体開口部に取り付けてあることを特徴とする建具。
【請求項２】
上枠材と、下枠材と、左右の竪枠材と、釘打ち部材とを備え、上枠材及び各竪枠材は外周面の見込み方向略中央部に内周側に凹んで釘打ち部材が係脱可能な係合溝を有すると共に係合溝以外の外周面が平坦面であり、係合溝の一方の溝壁のみに他方の溝壁に向けて突出した係止突起が設けてあり、釘打ち部材には係止突起に嵌合する嵌合凹部が形成してあり、上枠材及び各竪枠材を躯体開口部に取り付けるときには、釘打ち部材は係合溝の係止突起に室内外方向から嵌合凹部を嵌合して、係合溝内に収納されるねじで係合溝の溝底に固定した後、釘で躯体の見付け面に取り付け、上枠材及び各竪枠材を既設枠に取り付けるときには、釘打ち部材を用いないで、既設枠の内周側に上枠材及び各竪枠材を配置して各々既設枠にねじで固定することを特徴とする建具の取り付け方法。
【発明の詳細な説明】
【技術分野】
【０００１】
本発明は、引戸、ドア、サッシ等の建具に関する。
【背景技術】
【０００２】
特許文献１には、既設枠の内周に新設の上枠材及び左右の竪枠材を取り付けてリフォームする建具が開示されている。この特許文献１の技術では、既設枠の各枠材には、躯体開口部の見付け面に重ねて配置する釘打ち部材を設けてあり、この既設枠の内周には釘打ち部材のない新設の上枠材及び左右の竪枠材を、既設枠に固定している。
【先行技術文献】
【特許文献】
【０００３】
【特許文献１】特開昭５９−１０６８６号公報
【発明の概要】
【発明が解決しようとする課題】
【０００４】
つまり、特許文献１の建具は、既設枠を残存した状態で内周側に取り付けることによりリフォームすることを目的としたものであり、躯体開口部に取り付けできるものではなかった。
【０００５】
そこで、本発明は、躯体開口部に取り付ける場合と既設枠に取り付ける場合とで枠材を兼用できる建具の提供を目的とする。
【課題を解決するための手段】
【０００６】
請求項１に記載の発明は、上枠材と、下枠材と、左右の竪枠材と、釘打ち部材とを備え、上枠材及び各竪枠材は外周面の見込み方向略中央部に内周側に凹んで釘打ち部材が係脱可能な係合溝を有すると共に係合溝以外の外周面が平坦面であり、係合溝の一方の溝壁のみに他方の溝壁に向けて突出した係止突起が設けてあり、釘打ち部材には係止突起に嵌合する嵌合凹部が形成してあり、釘打ち部材は係合溝の係止突起に嵌合凹部を嵌合してあると共に係合溝内に収納されるねじで係合溝の溝底に固定してあり且つ釘で躯体の見付け面に取り付けて、上枠材及び各竪枠材を躯体開口部に取り付けてあることを特徴とする建具である。
請求項２に記載の発明は、上枠材と、下枠材と、左右の竪枠材と、釘打ち部材とを備え、上枠材及び各竪枠材は外周面の見込み方向略中央部に内周側に凹んで釘打ち部材が係脱可能な係合溝を有すると共に係合溝以外の外周面が平坦面であり、係合溝の一方の溝壁のみに他方の溝壁に向けて突出した係止突起が設けてあり、釘打ち部材には係止突起に嵌合する嵌合凹部が形成してあり、上枠材及び各竪枠材を躯体開口部に取り付けるときには、釘打ち部材は係合溝の係止突起に室内外方向から嵌合凹部を嵌合して、係合溝内に収納されるねじで係合溝の溝底に固定した後、釘で躯体の見付け面に取り付け、上枠材及び各竪枠材を既設枠に取り付けるときには、釘打ち部材を用いないで、既設枠の内周側に上枠材及び各竪枠材を配置して各々既設枠にねじで固定することを特徴とする建具の取り付け方法である。
【発明の効果】
【０００７】
請求項１に記載の発明によれば、上枠材及び左右の竪枠材に釘打ち部材を脱着自在であるから、躯体開口部に取り付ける場合と既設枠に取り付ける場合とで枠材を兼用できる。
【図面の簡単な説明】
【０００８】
【図１】本発明の実施の形態にかかる建具を用いた玄関引戸であって、外障子及び内障子を引戸の開口部を開く位置に寄せた状態において、図３に示すＡ−Ａ位置で切断して示す縦断面図である。
【図２】本発明の実施の形態にかかる建具を用いた玄関引戸であって、図３に示すＢ−Ｂ断面図である。
【図３】本発明の実施の形態にかかる建具を躯体開口部に取り付けた玄関引戸の横断面図である。
【図４】本発明の実施の形態にかかる建具を用いた玄関引戸であって、外障子及び内障子を引戸の開口部を開く位置に寄せた状態において、図６に示すＡ−Ａ位置で切断して示す縦断面図である。
【図５】本発明の実施の形態にかかる建具を用いた玄関引戸であって、図６に示すＢ−Ｂ断面図である。
【図６】本発明の実施の形態にかかる建具を既設枠に取付けた玄関引戸の横断面図である。
【発明を実施するための形態】
【０００９】
以下に、添付図面の図１〜図６を参照して本発明の実施の形態を詳細に説明する。図１〜図３は新築した玄関引戸であり、図４〜図６はリフォームした玄関引戸である。図１〜図３に示すように、本実施の形態に係る建具１は、上枠材５と、下枠材７と、左右の竪枠材９ａ、９ｂと、釘打ち部材１１とを備えている。
建具１の内周には、外障子１３と、内障子１５と、袖パネル１７とが設けてあり、袖パネル１７の玄関開口側にアコーディオン網戸１９が設けてある
図１及び図２に示すように、上枠材５は、外周面５ａの長手方向に釘打ち部材１１が係脱可能な係合溝２１が形成されている。係合溝２１には、室外側の溝壁に室内側に向けて突設した係止突起２３が設けてあり、係合溝２１の溝底には釘打ち部材１１がねじ２５で固定されている。ねじ２５の頭２５ａは係合溝２１内に収まっている。
釘打ち部材１１は、縦断面が略Ｌ字形状を成しており、Ｌ字の一側が上枠材５の係合溝２１に係合する係合部３５になっており、Ｌ字の他側が躯体２の室外側見付け面に重なる釘打ち部３７になっており、釘打ち部３７をねじ釘３９で躯体２に固定してある。釘打ち部材１１のＬ字の角部には係止突起２３に嵌合する嵌合凹部４１が形成されている。
【００１０】
上枠材５の下面には外障子１３の移動を案内する外障子案内片２７と、内障子１５の移動を案内する内障子案内片２９と、袖パネル１７を支持する支持片３１が突設してある。
図１に示すように、外障子案内片２７と内障子案内片２９との間には、連動装置３３が取り付けてあり、この連動装置３３により、外障子１３の開閉操作に連動して内障子１５も同方向に移動するようになっている。
上枠材５の室内側部は内周側から挿通したねじ４３で躯体２に固定されている。ねじ４３の挿通穴にはキャップ４４が嵌められている。
下枠材７は、下面がコンクリートで固定された固定部材４５に係合してあり、上面にはレール材４７が固定されている。
【００１１】
図３に示すように、左右の竪枠材９ａ、９ｂにもその外周側面９ｃに、竪枠材９ａ、９ｂの長手方向の係合溝２１が形成されており、この係合溝２１に釘打ち部材１１の係合部３５が係合しており、釘打ち部材１１はねじ２５で係合溝２１の溝底に固定されている。係合溝２１及び釘打ち部材１１は上枠材５のものと同じ構成である。
尚、左竪枠材９ａはその内周の室外側に外障子１３の戸当たり４８が取り付けてあり、室内側にはアコーディオン網戸の戸先受け４９が取り付けてある。右竪枠材９ｂの内周側には内障子１５の戸尻受け５１及び袖パネル１７の支持片５３、５５が設けてある。袖パネル１７は室内側の支持片５５にねじ５７で固定されている。
【００１２】
次に、図４〜図６を参照して、建具１をリフォームに用いる場合について説明する。
既設上枠材６１、既設竪枠材６３ａ、６３ｂを残したままにしてあり、これらの枠材６１、６３ａ、６３ｂはその内周側に突設している障子用案内片等は切除してある。
新設する建具１の上枠材５、左右の竪枠材９ａ、９ｂの外周側にある各係合溝２１には釘打ち部材１１を取り付けないで、上枠材５、左右の竪枠材９ａ、９ｂを各対応する既設枠材６１、６３ａ、６３ｂの内周側に配置して、各々対応する既設枠材６１、６３ａ、６３ｂと躯体２とに打ち込むねじ６５で固定する。
上枠材５及び左右の竪枠材９ａ、９ｂの室外側には、躯体２との間に各々カバー部材６７を取り付けて、対応する既設枠材６１、６３ａ、６３ｂを隠している。
尚、既設下枠材は除去しており、下枠材７は図１に示す新築用の場合と同様にして取り付ける。
【００１３】
次に、建具１の施工について説明する。図１〜図３に示すように、建具１を躯体開口部に取り付ける場合には、釘打ち部材１１を上枠材５、左右の竪枠材９ａ、９ｂに取り付ける。釘打ち部材の１１の取り付けは、係合溝２１に釘打ち部材１１の係合部３５を配置して係止突起２３側にスライドし、係止突起２３を釘打ち部材の１１の嵌合凹部４１に嵌合して、係合部３５を案内溝２１の溝底にねじ２５で固定する。
そして、各釘打ち部材１１の釘打ち部３７を躯体２の室外側見付け面に重ねてねじ釘３９で上枠材５、左右の竪枠材９ａ、９ｂを各々対応する躯体２の部分に固定すると共に室内側部をねじ４３で躯体２に固定する。
尚、下枠材７は、下面がコンクリートで固定された固定部材４５に係合して取り付ける。
【００１４】
図４〜図６に示すように、建具１を既設枠６１、６３ａ、６３ｂに取り付ける場合、上枠材５、左右の竪枠材９ａ、９ｂの各係合溝２１に釘打ち部材１１を取り付けないで、上枠材５を既設上枠６１と躯体２とにねじ６５で固定し、同様に左右の竪枠材９ａ、９ｂを対応する既設竪枠６３ａ、６３ｂと躯体２とにねじ６５で固定する。
下枠材７は、建具１を躯体開口部に取り付ける場合と同様に竪枠下面がコンクリートで固定された固定部材４５に係合して取り付ける。
その後、上枠材５、左右の竪枠材９ａ、９ｂと躯体２の室外側見付け面との間に各カバー部材６７を取り付けて、各既設枠６１、６３ａ、６３ｂを隠す。
【００１５】
本実施の形態によれば、上枠材５及び左右の竪枠材９ａ、９ｂに釘打ち部材１１を脱着自在であるから、躯体開口部２に取り付ける場合と既設枠材６１、６３ａ、６３ｂに取り付ける場合とに新設する枠材５、９ａ、９ｂを兼用できる。
係合溝２１内には、釘打ち部材１１を固定するねじ２５の頭２５ａを収納しているので、ねじの頭２５ａが邪魔にならないで済む。
係合溝２１には室外側の溝壁に係止突起２３を形成してあり、釘打ち部材１１には係止突起２３に係止する嵌合凹部４１を形成してあり、係止突起２３とねじ２５との２箇所で釘打ち部材１１を止めているので、釘打つ部材１１を係合溝２１内に安定に固定できる。
【００１６】
本発明は、上述した実施の形態に限らず、本発明の要旨を逸脱しない範囲で種々変形可能である。
例えば、本発明の建具１は、玄関引戸に限らず、ドア、サッシ等に用いるものであっても良い。
【符号の説明】
【００１７】
１    建具
５    上枠材
７    下枠材
９    竪枠材
１１  釘打ち部材
２１  係合溝
３９  ねじ釘（釘）
６５  ねじ
【図１】
0006026740.tif 000002
【図２】
0006026740.tif 000003
【図３】
0006026740.tif 000004
【図４】
0006026740.tif 000005
【図５】
0006026740.tif 000006
【図６】
0006026740.tif 000007